(57)【要約】【課題】患者情報システムと、尿サンプル保存システムと、尿保存システムと、尿通常検査システムと、尿沈渣検査システムと、内部洗浄システムとを含む全自動尿検査装置である。【解決手段】患者情報システムが、患者の基本的な情報を記録し且つ尿サンプル保存システムに出入りする証拠を提供し、尿保存システムが尿サンプル保存システムに含まれ、尿保存システムが尿通常検査システムと、尿沈渣検査システムと内部洗浄システムとに接続され、尿通常検査システムと尿沈渣検査システムにより検査された結果を、ネットワークで中心実験室と主治医に伝達し、内部洗浄システムは検査装置全体を洗浄する。当該検査装置は、尿をリアルタイムに検査し、検査条件を改善することを企図し、安全且つ衛生、環境汚染をなくし、人為的な操作要素を取り除け、効率を向上させるメリットを有する。【選択図】図１
2016509677.tif 000002
【特許請求の範囲】
【請求項１】
患者情報システムと、尿サンプリングシステムと、尿保存システムと、尿通常検査システムと、尿沈渣検査システムと、内部洗浄システムとを含む全自動尿検査装置であって、前記患者情報システムが、患者の基本的な情報を記録し且つ前記尿サンプリングシステムに出入りする証拠を提供し、前記尿保存システムが前記尿サンプリングシステムに含まれ、前記尿保存システムが前記尿通常検査システムと、前記尿沈渣検査システムと前記内部洗浄システムとに接続され、前記通常検査システムと前記尿沈渣検査システムにより検査された結果を、ネットワークで中心実験室と主治医に伝達し、前記内部洗浄システムは検査装置全体を洗浄することを特徴する全自動尿検査装置。
【請求項２】
前記患者情報システムに、氏名、性別、カード番号、医師の指示、費用納付情報などを含む患者の基本的な情報を記録するコンピューターが設けられていることを特徴とする請求項１に記載の全自動尿検査装置。
【請求項３】
前記患者情報システムに若干のカードが設けられ、前記コンピューターにより患者の基本的な情報を当該カードに入力し、当該カードにより前記尿サンプリングシステムに入ることは可能であることを特徴とする請求項１に記載の全自動尿検査装置。
【請求項４】
前記カードの医師の指示には尿通常検査という項目しかないことを特徴とする請求項３に記載の全自動尿検査装置。
【請求項５】
前記カードの医師の指示には尿沈渣検査という項目がしかないことを特徴とする請求項３に記載の全自動尿検査装置。
【請求項６】
前記カードの医師の指示には尿通常検査と尿沈渣検査があることを特徴とする請求項３に記載の全自動尿検査装置。
【請求項７】
前記尿サンプリングシステムがステップイン式の閉鎖空間であり、全自動尿検査装置の全体として一体的な構造であり、当該システムには当該システムを出入りする時カードを通すため、且つ音声提示装置が設けられているリーダーは備えられることを特徴とする請求項１に記載の全自動尿検査装置である。
【請求項８】
前記尿サンプリングシステムの尿池が前記尿保存システムにおける尿受け装置であることを特徴とする請求項７に記載の全自動尿検査装置。
【請求項９】
前記尿保存システムが尿受け装置を含み、前記尿受け装置に尿タンクが接続され、当該尿タンクが管路を介して液体輸送ポンプと接続され、液体輸送ポンプが管路を介しs手浸尿管と接続され、前記圧縮ポンプが前記尿受け装置内の気圧を安に制御するためであり、前記液体輸送ポンプが尿の輸送速度を制御し、前記尿浸管が尿を載置するためであることを特徴とする請求項１に記載の全自動尿検査装置。
【請求項１０】
前記尿通常検査システムの機械手が便利に尿に浸入するよう前記尿浸管の上部には蓋がないことを特徴とする請求項９に記載の全自動尿検査装置。
【請求項１１】
前記尿受け装置が第１の管路を介して清水の弁と接続されることを特徴とする請求項９に記載の全自動尿検査装置。
【請求項１２】
前記尿タンクが第２の管路を介して尿タンクの排出弁と接続されることを特徴とする請求項９に記載の全自動尿検査装置。
【請求項１３】
前記第２の管路が前記尿タンクの下部に接続されることを特徴とする請求項１２に記載の全自動尿検査装置。
【請求項１４】
前記尿浸管が第３の管路を介して尿浸管の弁と接続されることを特徴とする請求項９に記載の全自動尿検査装置。
【請求項１５】
前記第３の管路が前記尿浸管の下部に接続されることを特徴とする請求項１４に記載の全自動尿検査装置。
【請求項１６】
前記尿通常検査システムに、試験紙ボックスから試験紙を取り出し、次に前記尿浸管に浸し、最後にスキャンと検査を行うよう尿通常検査装置に入れる機能を有する機械手が設けられていることを特徴とする請求項１に記載の全自動尿検査装置。
【請求項１７】
前記尿沈渣検査システムが前記尿保存システムにより尿を遠心機に搬送し、当該遠心機により遠心された後、尿沈渣を尿沈渣検査装置に搬送し、検査の結果をネットワークで中心実験室と主治医へ伝達することを特徴とする請求項１に記載の全自動尿検査装置。
【請求項１８】
前記尿沈渣検査装置に尿沈渣を吸い取るための液体吸収管が設けられていることを特徴とする請求項１７に記載の全自動尿検査装置。
【請求項１９】
前記遠心機が少なくとも二つであり、これらの遠心機が並列に配置され、且つ自動作業転換、自動注液、自動バランス取りの装置が設けられていることを特徴とする請求項１７に記載の全自動尿検査装置。
【請求項２０】
前記遠心機に、遠心機のモータと、逆転モータとが設けられていることを特徴とする請求項１９に記載の全自動尿検査装置。
【請求項２１】
前記遠心機に遠心回転盤が設けられていることを特徴とする請求項１９に記載の全自動尿検査装置。
【請求項２２】
前記遠心回転盤に遠心管が設けられていることを特徴とする請求項２１に記載の全自動尿検査装置。
【請求項２３】
前記遠心管が遠心回転盤に均一に分布され、且つ自動逆転と自動清浄という機能を有するよう配置されることを特徴とする請求項２２に記載の全自動尿検査装置。
【請求項２４】
前記逆回転モータに遠心管を逆転させる回転棒が取り付けられていることを特徴とする請求項２０に記載の全自動尿検査装置。
【請求項２５】
前記遠心機に洗浄装置が取り付けられていることを特徴とする請求項１９に記載の全自動尿検査装置。
【請求項２６】
前記遠心機に電子制御システムが取り付けられていることを特徴とする請求項１９に記載の全自動尿検査装置。
【請求項２７】
前記内部洗浄システムには、患者毎に検査が完了した後、前記尿保存システムを自動的に洗浄し、患者ロット毎に検査が完了した後、検査装置全体を消毒し、作業が全て自動的に完了するよう配置される清水弁と消毒装置が備えられることを特徴とする請求項１に記載の全自動尿検査装置。
【発明の詳細な説明】
【技術分野】
【０００１】
本発明は、尿を化学検査及び分析する装置に関し、具体的に言えば全自動尿検査装置に関する。
【背景技術】
【０００２】
50年代には、単ードライケミストリー試験紙の方法により尿におけるタンパク質とブドウ糖を検出し、肉眼で試験紙の色の変化を基準板と比較し、相応した数値を得ていた。80年代になると、コンピューター技術の高度な発展と幅広い運用に伴い、尿自動化分析装置も半自動化から今の全自動化へと急速に発展してきた。尿分析装置は尿におけるある化学成分を測定する自動化装置であり、医学の実験室で尿を自動的に検査する重要な手段である。このような装置は、操作が簡単で、且つ迅速であるというメリットを有する。しかしながら、尿分析装置の利用者の不適切な使用と多くの中間環節及び影響要素が何れも自動化分析の結果の正確性に直接に影響を与え、実験の結果の誤差を招くだけではなく、診断も遅延してしまう。
例えば、公開番号がCN102081103Aに記載の特許は、ケーシングと、カップ運送機と、試験紙整理運送機と、サンプル滴下機という四つの部分からなる全自動尿検査装置であって、尿を入れたカップを装置のカップ運送機に直接に載せ、検査されるサンプルがストローとストロー内に残った洗浄液の希釈を受けないので、測定の精度と確実性を向上できる。しかしながら、当該尿検査装置は完全な自動化を実現せず、カップで尿を受け、尿を入れたカップを装置に入れる必要がある。
【先行技術文献】
【特許文献】
【０００３】
【特許文献１】中国特許出願公開第１０２０８１１０３号
【発明の概要】
【０００４】
本発明は、従来技術の欠陥を解消するためになされたもので、尿をリアルタイムに検査し、誤検査の現象を防止し、検査の条件を改善し、安全且つ衛生、環境の改善、手間の節約、効率の向上というメリットを有する全自動尿検査装置を提供することを目的とする。
【０００５】
本発明は、患者情報システムと、尿サンプリングシステムと、尿保存システムと、尿通常検査システムと、尿沈渣検査システムと、内部洗浄システムとを含む全自動尿検査装置を提供する。前記患者情報システムが、患者の基本的な情報を記録し且つ前記尿サンプリングシステムに出入りする証拠を提供し、前記尿サンプリングシステムに前記尿保存システムが含まれ、該尿保存システムが前記尿通常検査システムと、前記尿沈渣検査システムと前記内部洗浄システムとに接続され、前記通常検査システムと前記尿沈渣検査システムにより検査された結果を、ネットワークで中心実験室と主治医に伝達し、前記内部洗浄システムは検査装置全体を洗浄する。
【０００６】
前記患者情報システムに、氏名、医師の指示、費用納付情報を含む基本的な情報を記録するコンピューターが設けられることが好ましい。
【０００７】
前記患者情報システムに若干のカードが設けられ、前記コンピューターにより患者の基本的な情報を当該カードに入力し、当該カードを通してから前記尿サンプリングシステムに入ることが好ましい。
【０００８】
前記何れか1項の技術案において、前記カードの医師の指示には尿通常検査という項目しかなく、前記尿通常検査システムが尿の通常検査を直接に行うことが好ましい。
【０００９】
前記何れか1項の技術案において、前記カードの医師の指示には尿沈渣検査という項目がしかなく、前記尿沈渣検査システムが尿沈渣の検査を直接に行うことが好ましい。
【００１０】
前記何れか1項の技術案において、前記カードの医師の指示には尿通常検査と尿沈渣検査があり、前記尿通常検査システムと前記尿沈渣検査システムが自動的に検査することが好ましい。
【００１１】
前記何れか1項の技術案において、前記尿サンプリングシステムが洗面所であり、当該洗面所には当該洗面所のドアを出入りする時カードを通すため、且つ音声提示装置が設けられているカードリーダー装置は備えられることが好ましい。
【００１２】
前記何れか1項の技術案において、前記洗面所の尿池が前記尿保存システムにおける尿受け装置であることが好ましい。
【００１３】
前記何れか1項の技術案において、前記尿保存システムが尿受け装置を含み、前記尿受け装置に圧縮ポンプが接続され、且つ管路を介して尿タンクと接続され、当該尿タンクが管路を介して液体輸送ポンプと接続され、液体輸送ポンプが管路を介して浸尿管と接続され、前記圧縮ポンプが前記尿受け装置内の気圧を安定に制御するためであり、前記液体輸送ポンプが尿の輸送速度を制御し、前記尿浸管が尿を載置するためであることが好ましい。
【００１４】
前記何れか1項の技術案において、前記尿通常検査システムの機械手が便利に尿に浸入するよう前記尿浸管の上部には蓋がないことが好ましい。
【００１５】
前記何れか1項の技術案において、前記尿受け装置が第１の管路を介して清水の流入を制御する清水の弁と接続されることが好ましい。
【００１６】
前記何れか1項の技術案において、前記尿タンクが第２の管路を介して尿の排出を制御する尿タンクの排出弁と接続されることが好ましい。
【００１７】
前記何れか1項の技術案において、前記第２の管路が前記尿タンクの下部に接続されることが好ましい。
【００１８】
前記何れか1項の技術案において、前記尿浸管が第３の管路により尿の排出を主に制御する尿浸管の弁と接続されることが好ましい。
【００１９】
前記何れか1項の技術案において、前記第３の管路が前記尿浸管の下部に接続されることが好ましい。
【００２０】
前記何れか1項の技術案において、前記尿通常検査システムに、試験紙ボックスから試験紙を取り出し、次に、前記尿浸管に浸し、最後に、スキャンと検査を行うよう尿通常検査装置に入れる機能を有する機械手が設けられることが好ましい。
【００２１】
前記何れか1項の技術案において、前記尿沈渣検査システムが前記尿保存システムにより尿を遠心機に搬送し、当該遠心機により遠心された後、尿沈渣を尿沈渣検査装置に搬送し、検査の結果をネットワークで中心実験室と主治医へ伝達することが好ましい。
【００２２】
前記何れか1項の技術案において、前記尿沈渣検査装置に尿沈渣を吸い取る液体吸収管が設けられることが好ましい。
【００２３】
前記何れか1項の技術案において、前記遠心機が少なくとも二つであり、これらの遠心機が並列に配置され、且つ自動作業転換、自動注液、自動バランス取りの装置が設けられることが好ましい。
【００２４】
前記何れか1項の技術案において、前記遠心機に、主に遠心力を提供する遠心機のモータと、主に逆転力を提供する逆転モータとが設けられることが好ましい。
【００２５】
前記何れか1項の技術案において、前記遠心機に遠心回転盤が設けられることが好ましい。
【００２６】
前記何れか1項の技術案において、前記遠心回転盤に遠心管が設けられることが好ましい。
【００２７】
前記何れか1項の技術案において、前記遠心管が遠心回転盤に均一に分布され、且つ自動回転と自動清浄という機能を有するよう配置されることが好ましい。
【００２８】
前記何れか1項の技術案において、前記回転モータに主に便利に洗浄するよう遠心管を回転させる回転棒が取り付けられることが好ましい。
【００２９】
前記何れか1項の技術案において、前記遠心機に主に遠心管を洗浄する洗浄装置が取り付けられることが好ましい。
【００３０】
前記何れか1項の技術案において、前記遠心機に主に遠心機の作動を制御し、所定のプログラムを完成する電子制御システムが取り付けられることが好ましい。
【００３１】
前記何れか1項の技術案において、患者毎に検査が完了した後、前記尿保存システムを自動的に洗浄し、患者ロット毎に検査が完了した後、検査装置全体を消毒し、作業が全て自動的に完了するよう清水弁と消毒装置が備えられることが好ましい。
【図面の簡単な説明】
【００３２】
【図１】は本発明の全自動尿検査装置の好ましい実施例に基づくプロセス図である。
【図２】は本発明の全自動尿検査装置の図1に示された好ましい実施例における尿保存システムの構造略図である。
【図３】は本発明の全自動尿検査装置の図1に示された好ましい実施例における尿通常検査システムの構造略図である。
【図４】は本発明の全自動尿検査装置の図1に示された好ましい実施例における尿沈渣検査システムの構造略図である。
【図５】は本発明の全自動尿検査装置の図1に示された好ましい実施例における全自動検査装置の構造略図である。
【発明を実施するための形態】
【００３３】
本発明をより良く理解するため、以下、図面を参照しながら本発明の全自動尿検査装置の好ましい実施例を詳細に説明する。下記の記載は単に示範と解釈したものに過ぎなく、本発明の保護範囲に対する制限が一切ない。
【００３４】
図1に示すように、本発明は、患者情報システムと、尿サンプリングシステムと、尿保存システムと、尿通常検査システムと、尿沈渣検査システムと、内部洗浄システムとを含む全自動尿検査装置であって、前記患者情報システムが、患者の基本的な情報を記録し且つ前記尿サンプリングシステムに出入りする証拠を提供し、前記尿保存システムが前記尿サンプリングシステムに含まれ、前記尿保存システムが前記尿通常検査システムと、前記尿沈渣検査システムと前記内部洗浄システムとに接続され、前記通常検査システムと前記尿沈渣検査システムにより検査された結果を、ネットワークで中心実験室と主治医に伝達し、前記内部洗浄システムは検査装置全体を洗浄することを特徴とする全自動尿検査装置である。
【００３５】
前記患者情報システムに、氏名、医師の指示、費用納付情報を含む患者の基本的な情報を記録するコンピューターが設けられる。前記患者情報システムに若干のカードが設けられ、前記コンピューターにより患者の基本的な情報を当該カードに入力し、当該カードを通してから前記尿サンプリングシステムに入る。前記カードの医師の指示には尿通常検査という項目しかなかった場合に、前記尿通常検査システムが尿の通常検査を直接に行う。前記カードの医師の指示には尿沈渣検査という項目がしかなかった場合に、前記尿沈渣検査システムが尿沈渣の検査を直接に行う。前記カードの医師の指示には尿通常検査と尿沈渣検査があった場合に、前記尿通常検査システムと前記尿沈渣検査システムが自動的に検査する。前記尿サンプリングシステムが洗面所であり、当該洗面所には当該洗面所のドアを出入りする時カードを通すため、且つ音声提示装置が設けられるカードリーダー装置が備えられる。前記洗面所の尿池が前記尿保存システムにおける尿受け装置1である。
【００３６】
図2に示すように、前記尿保存システムが尿受け装置１を含み、前記尿受け装置1に圧縮ポンプ2が接続され、且つ管路を介して尿タンク3と接続され、当該尿タンク3が管路を介して液体輸送ポンプ4と接続され、液体輸送ポンプ4が管路を介して浸尿管5と接続され、前記圧縮ポンプ2が前記尿受け装置1内の気圧を安定に制御するためであり、前記液体輸送ポンプ4が尿の輸送速度を制御し、前記尿浸管5が尿を載置するためである。前記尿通常検査システムの機械手17が便利に尿に浸入するよう前記尿浸管5の上部には蓋がない。前記尿受け装置1が第１の管路6を介して清水の流入を制御する清水の弁9と接続される。前記尿タンク3が第２の管路7を介して尿の排出を制御する尿タンクの排出弁10と接続される。前記第２の管路が前記尿タンクの下部に接続される。前記尿浸管5が第３の管路8を介して尿の排出を制御する尿浸管の弁11と接続される。前記第３の管路が前記尿浸管の下部に接続される。
【００３７】
図3に示すように、前記尿通常検査システムに、試験紙ボックス18から試験紙19を取り出し、次に、前記尿浸管5に浸し、最後に、スキャンと検査を行うよう尿通常検査装置16に入れること機能を有する機械手17が設けられる。
【００３８】
図4に示すように、前記尿沈渣検査システムが前記尿保存システムにより尿を遠心機に搬送し、当該遠心機により遠心された後、尿沈渣を尿沈渣検査装置15に搬送し、検査の結果をネットワークで中心実験室と主治医へ伝達する。前記尿沈渣検査装置15に尿沈渣を吸い取る液体吸収管14が設けられる。前記遠心機が少なくとも二つであり、これらの遠心機が並列に配置され、且つ自動作業転換、自動注液、自動バランス取りの装置が設けられる。前記遠心機に、遠心力を提供する遠心機のモータと、主に逆転力を提供する逆転モータとが設けられる。前記遠心機に遠心回転盤13が設けられる。前記遠心回転盤13に遠心管12が設けられる。前記遠心管12が遠心回転盤13に均一に分布され、且つ自動逆転と自動清浄という機能を有するよう配置される。便利に洗浄するように、前記逆転モータに主に遠心管12を逆転させる回転棒が取り付けられる。前記遠心機に主に遠心管12を洗浄するための洗浄装置が取り付けられる。前記遠心機に主に遠心機の作動を制御し、所定のプログラムを完成する電子制御システムが取り付けられる。
【００３９】
前記内部洗浄システムには、患者毎に検査が完了した後、前記尿保存システムを自動的に洗浄し、患者ロット毎に検査が完了した後、検査装置全体を洗浄し、作業が全て自動的に完了するよう配置される清水弁と消毒装置が備えられる。
【００４０】
図5に示すように、自動遠心機の作業プロセスは下記の通りである。
1）患者の尿（所定量）が尿保存システムにより1号遠心機の回転盤の第１遠心管に導入する；
2）尿輸送管が上へ移動し、遠心機が30°回転し、尿輸送管が遠心機の回転盤の二つの遠心管の間の中間位置にあけられた穴に位置する；
3）尿輸送管が降下し、洗浄の準備をする；
4）試験管及び管路を洗浄する；
5）洗浄後、尿輸送管が上へ移動する；
6）タイム継電器を5分に設定し、もし5分間まで患者が入っていないなら、電磁スイッチがオンし、水を2号遠心管に導入し且つバランスを取る；
7）遠心機が遠心回転を始め、もし遠心時患者が入って来るなら、尿が2号遠心機に導入される（2号遠心機が待機状態でなければならないことを前提とし、もし2号遠心機が作業状態であるとき、5分の設定が無効になり、待ち続ける）。
8）もし5分間までに患者が入って来るなら、遠心機が150°回転し、2号遠心管が尿輸送位置に回転し、尿保存システムにより尿（所定量）を2号遠心管に導入する；
9）2号遠心管に尿を入れた後、2〜5のステップを繰り返す；
10）タイム継電器を5分に設定し、もし5分間以内まで患者が入っていないなら、遠心機が遠心回転を始める。
バランスを取る必要がない。遠心時患者が入って来るなら、尿が2号遠心機に導入される（2号遠心機が待機状態でなければならないことを前提とし、もし2号遠心機が作業状態であるとき、5分の設定が無効になり、待ち続ける）。
11）5分間までに患者が入って来るなら、遠心機が30°回転し、3号遠心管が尿輸送位置に回転し、尿保存システムにより尿（所定量）を3号遠心管に導入する；
12）3号遠心管に尿を入れた後、2〜5のステップを繰り返す；
13）タイム継電器を5分に設定し、5分間まで患者が入っていないなら、電磁スイッチがオンし、水を2号遠心管に導入し且つバランスを取る；
14）遠心機が遠心回転を始め、もし遠心時患者が入って来るなら、尿が2号遠心機に導入される（2号遠心機が待機状態でなければならないこと前提とする）；
15）5分間までに患者が入って来るなら、遠心機が150°回転し、4号遠心管が尿輸送位置に回転し、尿保存システムにより尿（所定量）を4号遠心管に導入する；
16）4号遠心管に尿を入れた後、2〜5のステップを繰り返す；
17）タイム継電器を5分に設定し、もし5分間まで患者が入っていないなら、遠心機が遠心回転を始める。
バランスを取る必要がない。遠心時患者が入って来るなら、尿が2号遠心機に導入される（2号遠心機が待機状態でなければならないことを前提とする。）
18）タイム継電器を5分に設定し、5分間までに患者が入って来るなら、遠心機が30°回転し、5号遠心管が尿輸送位置に回転し、尿保存システムにより尿（所定量）を5号遠心管に導入する；
19）5号遠心管に尿を入れた後、2〜5のステップを繰り返す；
20）タイム継電器を5分に設定し、もし5分間まで患者が入っていないなら、電磁スイッチがオンし、水を6号遠心管に導入し且つバランスを取る；
21）遠心機が遠心回転を始め、もし遠心時患者が入って来るなら、尿が2号遠心機に導入される（2号遠心機が待機状態でなければならないことを前提とする）；
22）5分間までに患者が入って来るなら、遠心機が150°回転し、6号遠心管が尿輸送位置に回転し、尿保存システムにより尿（所定量）を6号遠心管に導入する；
23）6号遠心管に尿を入れた後、2〜5のステップを繰り返す；
24）6つの遠心管の尿がいっぱいになったか否かを問わず、１号遠心機が遠心回転を始め、完了後、指定された原始位置に停止する；
25）遠心機が遠心回転を始め、遠心時もし患者が入って来るなら、尿が必ず2号遠心機に導入される（2号遠心機が待機状態でなければならないことを前提とする）。
【００４１】
説明しておきたいことは、本発明に基づく全自動尿検査装置が上記実施例のいずれか1項及びそれらの任意の組み合わせを含むが、上記実施例が単に本発明の好ましい実施の形態に対する記載のみであり、本発明の範囲を限定するものではない。本発明の設計精神を逸脱ない前提で、当業者は本発明の技術案に対して色々変形と改善したものが何れも本発明の請求の範囲に属する。
【符号の説明】
【００４２】
１  尿受け装置
２  圧縮ポンプ
３  尿タンク
４  液体輸送ポンプ
５  尿浸管
６  第１の管路
７  第２の管路
８  第３の管路
９  清水弁
１０  尿タンクの排出弁
１１  尿浸管の弁
１２  遠心管
１３  遠心回転盤
１４  液体吸収管
１５  尿沈渣検査装置
１６  尿通常検査装置
１７  機械手
１８  試験紙ボックス
１９  試験紙
【図１】
2016509677.tif 000003
【図２】
2016509677.tif 000004
【図３】
2016509677.tif 000005
【図４】
2016509677.tif 000006
【図５】
2016509677.tif 000007
【国際調査報告】
2016509677.tif 000008
2016509677.tif 000009
2016509677.tif 000010
2016509677.tif 000011
2016509677.tif 000012
2016509677.tif 000013